(57)【要約】【課題】再構成デバイスを搭載した画像形成装置において、省電力モード時の再構成デバイスの電力消費を抑えることで、装置全体のさらなる省電力化を可能にする。【解決手段】電源ＯＮ時に再構成デバイス内に構成される回路モジュール（ＴＯＰモジュール）について、省電力モードへの移行時に、省電力モードで未使用状態となる画像処理機能と出力部（プリントエンジンＩ／Ｆ）の回路ブロックをオフとする。これにより、省電力モード時、再構成デバイスの電力消費が抑えられる。【選択図】図３
2015020416.tif 000002
【特許請求の範囲】
【請求項１】
再構成デバイスを備えてなる画像形成装置において、
省電力モードへの移行時に、前記再構成デバイス内の省電力モードで未使用となる回路ブロックをオフとする制御手段を有することを特徴とする画像形成装置。
【請求項２】
前記制御手段は、前記省電力モードへの移行時に、再構成デバイス内のメモリに、前記オフとした回路ブロックの回路データを一時記憶し、省電力モードから通常動作モードへの復帰時に、前記メモリの回路データにより前記オフとした回路ブロックを回復することを特徴とする請求項１に記載の画像形成装置。
【請求項３】
前記再構成デバイスに外付けで接続された記憶手段を有し、あらかじめ該記憶手段に、前記再構成デバイスに構成される各回路ブロックの回路データ及び前記省電力モードで未使用となる回路ブロックの回路オフデータが記憶されていることを特徴とする請求項１もしくは２に記載の画像形成装置。
【請求項４】
前記省電力モードでオフされる回路ブロックは、少なくとも画像処理機能の回路ブロックであることを特徴とする請求項１乃至３のいずれか１項に記載の画像形成装置。
【請求項５】
再構成デバイスを備えてなる画像形成装置における省電力制御方法であって、
画像形成装置の省電力モードへの移行時に、前記再構成デバイス内の省電力モードで未使用となる回路ブロックをオフとすることを特徴とする省電力制御方法。
【請求項６】
省電力モードへの移行時に、前記再構成デバイス内のメモリに、前記オフとした回路ブロックの回路データを一時記憶し、省電力モードから通常動作モードへの復帰時に、前記メモリの回路データにより前記オフとした回路ブロックを回復することを特徴とする請求項５に記載の省電力制御方法。
【発明の詳細な説明】
【技術分野】
【０００１】
本発明は、再構成デバイスを搭載した画像形成装置の省電力制御に関する。
【背景技術】
【０００２】
従来から、フィールドプログラムマブルゲートアレイ（ＦＰＧＡ）に代表される再構成デバイスを搭載し、必要に応じて回路データ（回路構成データ）を適宜ロードして任意の処理機能を再構成することで、画像の種類や状況に応じた多様な処理を実現する画像形成装置が知られている。
【０００３】
一方、画像形成装置は、一般に一定時間印刷ジョブがない場合や上位装置などからのアクセスがない場合には省電力モードへ移行するようになっている。しかしながら、従来の再構成デバイスを搭載した画像形成装置では、省電力モードでも再構成デバイスには回路データがロードされているため、再構成デバイス内で省電力モードでは使用しない回路ブロックの電力消費を抑えることができないという問題があった。
【０００４】
例えば、特許文献１には、複数種類のジョブに対応して再構成デバイスを通常の処理速度で動作させる通常タイプと、より低速で動作させる低消費電力タイプの２種類の回路データを用意し、ジョブに応じて、いずれかの回路データを再構成デバイスにロードすることで、再構成デバイスを搭載した装置の低消費電力化を図る技術が開示されている。しかしながら、省電力モードでも再構成デバイスには回路データがロードされており、再構成デバイス内で省電力モードでは使用されない回路ブロックの電力消費を抑えることはできない。
【０００５】
また、特許文献２には、再構成デバイス上に、高速動作のプリンタＩ／Ｆ回路を構成する回路データと低消費電力のプリンタＩ／Ｆ回路を構成する回路データを用意し、接続されるプリンタの数に応じて、いずれかの回路データを再構成デバイスにロードすることで、再構成デバイス上に構成する回路の動作速度／消費電力を切り替え可能とする技術が開示されている。この場合も、省電力モードにおいて、再構成デバイスには回路データがロードされており、再構成デバイス内で省電力モードでは使用されない回路ブロックの電力消費を抑えることはできない。
【発明の概要】
【発明が解決しようとする課題】
【０００６】
本発明の課題は、再構成デバイスを搭載した画像形成装置において、省電力モード時の再構成デバイスの電力消費を抑えることで、省電力モードでの画像形成装置全体のさらなる省電力化を実現することにある。
【課題を解決するための手段】
【０００７】
本発明は、再構成デバイスを備えてなる画像形成装置において、省電力モードへの移行時に、前記再構成デバイス内の省電力モードで未使用となる回路ブロックをオフとする制御手段を有することを主要な特徴とする。
【発明の効果】
【０００８】
本発明によれば、省電力モードにおいて再構成デバイス内で動作させる必要のない回路ブロックをオフすることで、省電力モード時の再構成デバイスの電力消費を抑えることができ、画像形成装置全体のさらなる省電力化が可能になる。
【図面の簡単な説明】
【０００９】
【図１】本発明の画像形成装置の一実施形態のハードウエア構成図である。
【図２】図１中の再構成デバイスとしての画像処理／出力部の構成例を示す図である。
【図３】画像処理／出力部の回路ブロックの切替えを説明する図である。
【図４】画像処理／出力部の回路ブロックの切替え制御の全体的処理フローチャートである。
【図５Ａ】画像処理／出力部の回路ブロックの切替え制御の具体的動作シーケンスを示す図である。
【図５Ｂ】図５Ａの続きの動作シーケンスを示す図である。
【図６】画像処理／出力部の回路ブロックの切替え制御の他の全体的処理フローチャートである。
【図７Ａ】画像処理／出力部の回路ブロックの切替え制御の他の動作シーケンスを示す図である。
【図７Ｂ】図７Ａの続きの動作シーケンスを示す図である。
【発明を実施するための形態】
【００１０】
以下、本発明の実施形態について図面を参照して説明する。なお、以下では画像形成装置としてプリンタを例にするが、本発明はプリンタに限らにないことは云うまでもない。
【００１１】
図１に、本発明の画像形成装置の一実施形態としてのプリンタのハードウエア構成例を示す。図１において、プリンタは、コントローラ１０、操作部２０及びプリントエンジン３０で構成される。また、コントローラ１０は、ＣＰＵ１１、ＲＯＭ（Ａ）１２、ネットワークインタフェース部（以下、ネットワークＩ／Ｆ）１３、操作部インタフェース部（以下も操作部Ｉ／Ｆ）１４、ＲＡＭ１５、ハードディスクドライブ（以下、ＨＤＤ）１６、画像処理／出力部１７で構成され、これら各部はバス１８によって互いに接続されている。なお、図１では省略してあるが、画像処理／出力部１７には、ＲＯＭ（Ａ）１２とは別のＲＯＭ（Ｂ）が外付けで接続されている。
【００１２】
ＣＰＵ１１は、各種制御を行うと共に、ネットワーク１００を介してパソコン等のホスト装置から送信される印刷ジョブをラスタデータの印刷データに展開する処理等を実行する。ＲＯＭ１２は、ＣＰＵ１１の起動用プログラムや画像処理／出力部１７の設定情報等を格納している。ネットワークＩ／Ｆ１３は、ネットワーク１００とのインタフェース制御を行う。操作部Ｉ／Ｆ１４は操作部２０とのインタフェース制御を行う。ＲＡＭ１５は、ＣＰＵ１１のワークメモリとして使用され、処理途中のデータや実行中のプログラム等が格納される。ＨＤＤ１６は、ホスト装置からネットワーク１００を介して受信した印刷データやＣＰＵ１１で処理された印刷データの一時格納や、ＣＰＵ１１で実行する各種プログラム等を格納する。画像処理／出力部１７は、ＲＡＭ１４やＨＤＤ１６から印刷データを入力して種々の画像処理を実行し、プリントエンジン３０へ出力する。
【００１３】
ここで、画像処理／出力部１７は、フィールドプログラムマブルゲートアレイ（ＦＰＲＡ）などの再構成デバイスで構成されている。再構成デバイスは、多数の論理回路セルを備え、必要に応じて回路データ（回路構成データ）をロードし、該ロードした回路データに基づいて論理回路セル間の接続状態を変更することで、１つあるいは複数の処理機能（回路ブロック）を実現することが可能である。
【００１４】
図２は、画像処理／出力部１７の構成例を示した図である。この画像処理／出力部１７は、インタフェース制御部２１０、メモリ２２０、複数の画像処理機能（画像処理部）２３０−１〜２３０−Ｎ、出力部（プリントエンジンＩ／Ｆ）２４０、及び、これらを接続する内部バス２５０にて構成されている。なお、画像処理機能２３０−１〜２３０−Ｎは、必要とされる処理機能により増減することが可能である。
【００１５】
インタフェース制御部２１０は、バス１８とのインタフェース制御を行う。メモリ２２０は、印刷データ（画像データ）などを一時記憶するのに使用される。また、後述する変形例では、省電力モード時、メモリ２２０は画像処理機能２３０−１〜２３０−Ｎ及び出力部２４０の回路データを一時記憶するのに使用される。画像処理機能２３０−１〜２３０−Ｎは、メモリ２２０内の印刷データに対して色変換や回転処理、フィルタリング等の画像処理を実施する。出力部２４０は、必要な画像処理が施された印刷データをプリントエンジン３０に出力する制御を行う。
【００１６】
先に述べたように、画像処理／出力部１７は、全体が一つのＦＰＧＡ等の再構成デバイスとなっている。この画像処理／出力部１７としての再構成デバイスに、ＲＯＭ（Ｂ）２６０が外付けで接続されている。このＲＯＭ（Ｂ）２６０には、一般に複数種の回路データが記憶されており、画像形成装置の電源ＯＮ時等、該ＲＯＭ（Ｂ）２６０から必要な回路データをロードすることで、図２のような画像処理／出力部１７が構成される。また、このＲＯＭ（Ｂ）２６０に回路オフデータを記憶しておき、該回路オフデータをロードすることで、画像処理／出力部１７の一部又は全部の回路ブロックをＯＦＦ（回路ＯＦＦ）することが可能である。後述するように、このＲＯＭ（Ｂ）２６０とインタフェース制御部２１０が、省電力モードへの移行時に、画像処理／出力部１７すなわち再構成デバイス内の省電力モードで未使用となる回路ブロックをオフとする制御手段として機能する。
【００１７】
図２の画像処理／出力部１７の構成において、インタフェース制御部２１０とメモリ２２０は省電力モードでも動作させておく必要があるが、画像処理機能２３０−１〜２３０−Ｎ及び出力部２４０は、省電力モード時には必ずしも動作させておく必要がない。すなわち、省電力モード時には、一般に画像処理機能２３０−１〜２３０−Ｎ及び出力部（エンジンＩ／Ｆ）は実行されず、未使用状態となる。
【００１８】
そこで、本実施形態では、あらかじめＲＯＭ（Ｂ）２６０に、画像処理／出力部１７の各回路ブロックの回路データと共に、省電力モードで未使用の画像処理機能２３０−１〜２３０−Ｎと出力部２４０の回路オフデータを記憶しておく。そして、電源ＯＮ時には、ＲＯＭ（Ｂ）２６０から画像処理／出力部１７の各回路ブロックの回路データをロードして該画像処理／出力部１７の各回路ブロックを構成せしめるが、省電力モードへの移行時、ＲＯＭ（Ｂ）２６０から画像処理機能２３０−１〜２３０−Ｎおよび出力部２４０の回路ブロックの回路オフデータをロードして、画像処理／出力部１７内の画像処理機能２３０−１〜２３０−Ｎと出力部２４０の回路ブロックをオフ（ＯＦＦ）とする。これにより、省電力モード時の電力消費がさらに削減可能となる。
【００１９】
図３は、本実施形態に係る画像処理／出力部１７の回路ブロックの切替えを説明する図である。図３において、点線で囲った部分が、電源ＯＮ時、ＲＯＭ（Ｂ）２００から必要な回路データがロードされて構成される回路モジュール（ＴＯＰモジュール）である。すなわち、図２に示す画像処理／出力部１７の各回路モジュールが構成される。一方、省電力モード移行時は、ＲＯＭ（Ｂ）２６０から回路オフデータがロードされて、実線で示すように、画像処理／出力部１７のうち、画像処理機能２３０−１〜２３０−Ｎ及び出力部２４０の回路ブロックがＯＦＦ（回路ＯＦＦ）となる。
【００２０】
なお、省電力化を図るには、省電力モード時、画像処理／出力部１７としての再構成デバイスに供給される電源をＯＦＦとすることが考えられるが、インタフェース制御部２１０、メモリ２２０は動作させておく必要があるため、画像処理／出力部１７の給電を一律にＯＦＦすることはではない。
【００２１】
また、昨今の再構成デバイス（ＦＰＧＡ等）は、同一基板内で多種の電源（５Ｖ，３.３Ｖ、２.５Ｖ、１.８Ｖ、１.５Ｖ等）を用いることが多い。これらの多種電源は、互いに電源ＯＮ時の立ち上げシーケンス、電源ＯＦＦ時の立ち上げシーケンスや細かい時間規定等があり、例えば、同じ１.８Ｖを複数のデバイスで使用するなどしているため、個別に指定のデバイスのみの特定電源をＯＦＦとすると、各デバイスの持っているシーケンス規定などに違反する場合が考えられる。このため、個別のデバイスの電源をＯＦＦ，ＯＮするには、そのための制御回路が別途必要になり、部品の増加に伴うコストマップ、また、逆に消費電力の増加が避けられない。
【００２２】
本実施形態のように、再構成デバイスのリコンフィギュレショーション機能を用いて、画像処理／出力部１７としての再構成デバイスに供給されている電源をＯＦＦすることなく、省電力モード時、再構成デバイス内の省電力モードで未使用の回路ブロック（ここでは、画像処理機能と出力部）を一時的にＯＦＦすることで、特定の回路ブロックの省電力制御が可能になる。
【００２３】
図４は、本実施形態における画像処理／出力部１７の回路ブロックの切り替え制御の全体的処理フローチャートを示したものである。なお、図４は本発明の画像形成装置における省電力制御方法の一実施形態の処理フローチャートでもある。
【００２４】
画像形成装置の電源がオンすると、ＲＯＭ（Ｂ）２６０から画像処理／出力部１７としての再構成デバイスにデフォルト設定の回路データがロードされ（ステップ１００１）、図２に示すようなインタフェース制御部２１０、メモリ２２０、画像処理機能２３０−１〜２３０−Ｎ及び出力部２４０からなる画像処理／出力部１７が生成し構成される（ステップ１００２）。その後、省電力モードに移行すると（ステップ１００３でＹＥＳ）、ＲＯＭ（Ｂ）２６０から画像処理機能２３０−１〜２３０−Ｎと出力部２４０の回路オフデータがロードされ（ステップ１００４）、画像処理／出力部１７のうち、画像処理機能２３０−１〜２３０−Ｎと出力部２４０の回路ブロックがＯＦＦ（回路ＯＦＦ）となる（ステップ１００５）。その後、省電力モードから通常動作モードに復帰すると（ステップ１００６でＹＥＳ）、ＲＯＭ（Ｂ）２６０から画像処理機能２３０−１〜２３０−Ｎと出力部２４０の回路データが再ロードされ（ステップ１００７）、画像処理／出力部１７内の画像処理機能２３０−１〜２３０−Ｎと出力部２４０の回路ブロックが回復する（ステップ１００８）。
【００２５】
図５Ａ及び図５Ｂは、本実施形態における画像処理／出力部１７の回路ブロックの切替え制御の具体的な動作シーケンス例を示した図である。
【００２６】
ます、図５Ａにより、電源ＯＮ時の動作について説明する。画像形成装置の電源がＯＮすると、図示しないリセット回路のリセット解除を契機として、ＲＯＭ（Ｂ）２６０から画像処理／出力部１７としての再構成デバイスにデフォルト設定の回路データがロードされる。これにより、画像処理／出力部１７の各回路ブロックが構成される。画像処理／出力部１７のインタフェース制御部２１０が回路データロード完了をＣＰＵ１１へ通知すると、ＣＰＵ１１は、インタフェース制御部２１０を通し、画像処理／出力部１７に対して各種パラメータの設定を行う。その後、ＣＰＵ１１は、同様にインタフェース制御部２１０を通し、画像処理／出力部１７の出力部２４０に対して、プリントエンジン３０との通信確認及びプリントエンジン３０への各種パラメータの設定（初期設定）を行う。
【００２７】
以後、画像形成装置は通常動作モードをとり、画像処理／出力部１７は印刷データ（画像データ）を入力すると、必要な画像処理を実行し、プリントエンジン３０へ出力する。
【００２８】
次に、図５Ｂにより、通常動作モードから省電力モード移行時の動作、及び省電力モードから通常動作モード復帰時の動作について説明する。
【００２９】
省電力モードは、画像形成装置の仕様により様々な形態を取り得るが、ここでは、プリントエンジン３０におけるトナー定着器の温度を上げるためのヒータ（定着器ヒータ）をオフとする省電力モード１、及び、プリントエンジン全体の電源をオフとする省電力モード２を有するとする。なお、消費電力は、省電力モード１より省電力モード２の方がはるかに小さい。
【００３０】
画像形成装置はタイマを備え、該タイマをカウントアップして所定時間経過しても、ホスト装置から印刷ジョブの受信や操作部２０から何らの操作入力がない場合、まず、省電力モード１に移行し、更にそのまま所定時間経過した場合、省電力モード２に移行する。
【００３１】
通常動作モードから省電力モード１への移行時、ＣＰＵ１１は、画像処理／出力部１７のインタフェース制御部２１０に対して、省電力モード１への移行を指示する。この指示を受けて、インタフェース制御部２１０は、出力部２４０に対して省電力モード１への移行を通知する。この時、出力部２４０は、プリントエンジン３０に対して、定着器ヒータオフを指示する。
【００３２】
上記省電力モード１の場合、画像処理／出力部１７の各回路ブロックの構成はそのままである。
【００３３】
次に、省電力モード２の移行時の動作について説明する。省電力モード１から省電力モード２への移行時、ＣＰＵ１１は、画像処理／出力部１７のインタフェース制御部２１０に対して、省電力モード２への移行を指示する。インタフェース制御部２１０は、省電力モード２への移行指示を受けると、出力部２４０に対して、省電力モード２への移行を通知すると共に、ＲＯＭ（Ｂ）２６０に対して、画像処理機能２３０−１〜２３０−Ｎ及び出力部２４０の回路オフデータのロードを要求する。
【００３４】
出力部２４０は、インタフェース制御部２１０から省電力モード２への移行を通知されると、プリントエンジン３０に対して、エンジン電源オフを指示する。そして、出力部２４０は、インタフェース制御部２１０に対して、エンジン電源オフ指示完了を通知する。なお、出力部２４０は、省電力モード２への移行を通知されると、プリントエンジン３０の電源を直接ＯＦＦすることでもよい。
【００３５】
一方、ＲＯＭ（Ｂ）２６０は、インタフェース制御部２１０からの回路オフデータロード要求を受けて、画像処理機能２３０−１〜２３０−Ｎ及び出力部２４０の回路オフデータをロードする。インタフェース制御部２１０は、出力部２４０からのエンジン電源オフ指示完了の通知を契機として、画像処理機能２３０−１〜２３０−Ｎ及び出力部２４０へ回路オフデータをロードする。この回路オフデータのロードにより、画像処理／出力部１７のうち、画像処理機能２３０−１〜２３０−Ｎ及び出力部２４０の回路ブロックがオフされ、この回路ブロック部分の電力消費が削減可能となる。すなわち、画像形成装置の省電力モード時のさらなる電力消費の削減が可能となる。
【００３６】
次に、省電力モード２から通常動作モードへの復帰時の動作について説明する。省電力モード２の期間中に、ホスト装置から印刷ジョブを受信するか、操作部２０から操作入力があると、画像形成装置は通常動作モードへ復帰する。ここでは、ホスト装置から印刷ジョブを受信した場合について説明する。なお、操作部２０から操作入力がある場合も、基本的に同様である。
【００３７】
ホスト装置からネットワークＩ／Ｆ１３を通して印刷ジョブを受信すると、ＣＰＵ１１は、画像処理／出力部１７のインタフェース制御部２１０に対して、印刷ジョブ受信を通知する。インタフェース制御部２１０は、印刷ジョブ受信の通知があると、ＲＯＭ（Ｂ）２６０に対して、画像処理機能２３０−１〜２３０−Ｎ及び出力部２４０の回路データのロードを要求する。このロード要求を受けて、ＲＯＭ（Ｂ）２６０は、画像処理機能２３０−１〜２３０−Ｎ及び出力部２４０の回路データをロードする。この結果、画像処理／出力部１７内の画像処理機能２３０−１〜２３０−Ｎと出力部２４０の回路ブロックが回復（復帰）する。
【００３８】
画像処理機能２３０−１〜２３０−Ｎ及び出力部２４０は、回路データロード完了をインタフェース制御部２１０へ通知し、インタフェース制御部２１０は、該回路データロード完了通知をＣＰＵ１１へ上げる。これを受けて、ＣＰＵ１１は、インタフェース制御部２１０を通し、画像処理機能２３０−１〜２３０−Ｎと出力部２４０へ各種パラメータの再設定を行う。また、インタフェース制御部２１０は、プリントエンジン３０の立上げを出力部２４０に指示し、出力部２４０はプリントエンジン３０の再立上げを行う。
【００３９】
次に、上記実施形態の変形例について説明する。変形例は、省電力モード（省電力モード２）移行時に、画像処理機能２３０−１〜２３０−Ｎと出力部２４０の回路データを画像処理／出力部１７内のメモリ２２０に保持しておき、通常動作モードへの復帰時に、メモリ２２０から回路データをロードするものである。これにより、上記実施形態に比べて省電力モードからの復帰時間を短縮することが可能になる。
【００４０】
図６は、本変形例における画像処理／出力部１７の回路ブロックの切替え制御の全体的処理フローチャートを示したものである。なお、図６は本発明の画像形成装置における省電力制御方法の別の実施形態の処理フローチャートでもある。
【００４１】
電源がオンすると、ＲＯＭ（Ｂ）２６０から画像処理／出力部１７としての再構成デバイスにデフォルト設定の回路データがロードされ（ステップ２００１）、図２に示すようなインタフェース制御部２１０、メモリ２２０、画像処理機能２３０−１〜２３０−Ｎ及び出力部２４０からなる画像処理／出力部１７が生成される（ステップ２００２）。その後、省電力モードに移行すると（ステップ２００３でＹＥＳ）、ＲＯＭ（Ｂ）２６０から画像処理機能２３０−１〜２３０−Ｎと出力部２４０の回路オフデータがロードされ（ステップ２００４）、画像処理／出力部１７のうち、画像処理機能２３０−１〜２３０−Ｎと出力部２４０の回路ブロックがＯＦＦ（回路ＯＦＦ）となる（ステップ２００５）。ここまでは、図４のステップ１００１〜１００５と同様である。
【００４２】
次に、インタフェース制御部２１０の制御下で、ＲＯＭ（Ｂ）２６０から画像処理機能２３０−１〜２３０−Ｎと出力部２４０の回路データがロードされ、画像処理／出力部１７内のメモリ２２０に保存される（ステップ２００６）。
【００４３】
その後、省電力モードから通常動作モードに復帰すると（ステップ２００７でＹＥＳ）、インタフェース制御部２１０の制御下で、画像処理／出力部１７内のメモリ２２０から画像処理機能２３０−１〜２３０−Ｎと出力部２４０の回路データがロードされ（ステップ２００８）、画像処理機能２３０−１〜２３０−Ｎと出力部２４０の回路ブロックが回復する（ステップ２００９）。
【００４４】
図７Ａ及び図７Ｂに、本変形例における画像処理／出力部１７の回路ブロックの切替え制御の具体的な動作シーケンス例を示す。
【００４５】
図７Ａは、画像形成装置の電源ＯＮ時の動作シーケンスであるが、これは図５Ａと同じであるので、説明は省略する。以下、図７Ｂにより、通常動作モードから省電力モード移行時の動作及び省電力モードから通常動作モード復帰時の動作について説明する。
【００４６】
まず、省電力モード移行時の動作について説明する。ここでも、省電力モードは、単にプリントエンジン３０の定着器ヒータをオフとする省電力モード１、及び、プリントエンジン全体の電源をオフとする省電力モード２を有するとする。省電力モード１の移行時の動作は図５Ｂと同じであるので、この場合の動作も省略する。
【００４７】
画像形成装置の省電力モード２への移行時、ＣＰＵ１１は、画像処理／出力部１７のインタフェース制御部２１０に対して、省電力モード２への移行を指示する。インタフェース制御部２１０は、ＣＰＵ１１から省電力モード２への移行指示を受けると、出力部２４０に対して該省電力モード２への移行を通知すると共に、ＲＯＭ（２）２６０に対して、画像処理機能２３０−１〜２３０−Ｎ及び出力部２４０の回路オフデータのロードを要求する。
【００４８】
出力部２４０は、インタフェース制御部２１０から省電力モード２への移行を通知されると、プリントエンジン３０に対して、エンジン電源オフの指示を行う。その後、出力部２４０は、インタフェース制御部２１０に対して、エンジン電源オフ指示完了を通知する。なお、出力部２４０は、省電力モード２への移行を通知されると、プリントエンジン３０の電源を直接ＯＦＦすることでもよい。
【００４９】
一方、ＲＯＭ（Ｂ）２６０は、インタフェース制御部２１０から回路オフデータロード要求を受けて、画像処理機能２３０−１〜２３０−Ｎ及び出力部２４０の回路オフデータをロードする。インタフェース制御部２１０は、出力部２４０からのプリントエンジン電源オフ指示完了の通知を契機として、画像処理機能２３０−１〜２３０−Ｎ及び出力部２４０への回路オフデータをロードする。これにより、画像処理／出力部１７のうち、画像処理機能２３０−１〜２３０−Ｎ及び出力部２４０の回路ブロックがオフとなる。さらに、インタフェース制御部２１０は、ＲＯＭ（２）２６０に対して、画像処理機能２３０−１〜２３０−Ｎ及び出力部２４０の回路データのロードを要求する。これを受けて、ＲＯＭ（Ｂ）２６０は、画像処理機能２３０−１〜２３０−Ｎ及び出力部２４０の回路データをロードする。インタフェース制御部２１０は、この画像処理機能２３０−１〜２３０−Ｎ及び出力部２４０の回路データをメモリ２２０に記憶する。
【００５０】
ここで、省電力モード時、メモリ２２０はほとんど使用されることはない。このため、画像処理機能２３０−１〜２３０−Ｎの回路データを一時保存することが可能である。
【００５１】
次に、省電力モード（省電力モード２）から通常動作モードへの復帰時の動作について説明する。ここでも、ホスト装置から印刷ジョブを受信した場合について説明するが、操作部２０から操作入力がある場合も同様である。
【００５２】
ホスト装置からネットワークＩ／Ｆ１３を通して印刷ジョブを受信すると、ＣＰＵ１１は、画像処理／出力部１７のインタフェース制御部２１０に対して、印刷ジョブ受信を通知する。この時、インタフェース制御部２１０は、画像処理／出力部１７内のメモリ２２０から画像処理機能２３０−１〜２３０−Ｎ及び出力部２４０の回路データを読み出し再ロードする。この再ロードされた回路データにより、画像処理機能２３０−１〜２３０−Ｎと出力部２４０の回路ブロックが回復する。
【００５３】
画像処理機能２３０−１〜２３０−Ｎ及び出力部２４０は、回路データロード完了をインタフェース制御部２１０へ通知し、インタフェース制御部２１０は、該回路データロード完了通知をＣＰＵ１１へ上げる。これを受けて、ＣＰＵ１１は、インタフェース制御部２１０を通し、画像処理機能２３０−１〜２３０−Ｎと出力部２４０へ各種パラメータの再設定を行う。また、インタフェース制御部２１０は、プリントエンジン３０の立上げを出力部２４０に指示し、出力部２４０はプリントエンジン３０の再立上げを行う。
【符号の説明】
【００５４】
１０  コントローラ
１１  ＣＰＵ
１２  ＲＯＭ（Ａ）
１３  ネットワークＩ／Ｆ
１４  操作部Ｉ／Ｆ
１５  ＲＡＭ
１６  ＨＤＤ
１７  画像処理／出力部（再構成デバイス）
１８  バス
２０  操作部
３０  プリントエンジン
２１０  インタフェース制御部
２２０  メモリ
２３０−１〜２３０−Ｎ  画像処理機能（画像処理部）
２４０  出力部
２５０  内部バス
２６０  ＲＯＭ（Ｂ）
【先行技術文献】
【特許文献】
【００５５】
【特許文献１】特開２０１１−１１３２１２号公報
【特許文献２】特許第４８９２９７０号公報
【図１】
2015020416.tif 000003
【図２】
2015020416.tif 000004
【図３】
2015020416.tif 000005
【図４】
2015020416.tif 000006
【図５Ａ】
2015020416.tif 000007
【図５Ｂ】
2015020416.tif 000008
【図６】
2015020416.tif 000009
【図７Ａ】
2015020416.tif 000010
【図７Ｂ】
2015020416.tif 000011